(57)【要約】【課題】ＩＣタグを準備することなく機器の位置を把握することができ、容易にその位置を変更する。【解決手段】中継機器と無線通信する第１無線通信部と、無線通信する際に中継装置に情報機器自装置識別情報を送信する自装置識別情報出力部と、を備えた情報機器と、情報機器と無線通信する第２無線通信部と、無線通信における電波強度を測定し、情報機器から無線通信の際に受信した情報機器自装置識別情報と、中継機器自装置識別情報と、測定の結果を示す測定情報とをサーバに送信する測定情報出力部と、を備えた複数の中継機器と、それぞれの中継機器から受信した測定情報と、情報機器自装置識別情報と、中継機器自装置識別情報と、あらかじめ中継機器が設置された位置を含むレイアウト図とに基づいて、情報機器のレイアウト図における位置を特定する位置判定部と、位置が特定された情報機器とレイアウト図とを重ね合わせた表示用のレイアウトデータを生成し、表示部に表示する表示データ生成部と、を備えたサーバと、を備える。【選択図】図１０
2018151186.tif 000002
【特許請求の範囲】
【請求項１】
中継機器と無線通信する第１無線通信部と、
無線通信する際に前記中継装置に情報機器自装置識別情報を送信する自装置識別情報出力部と、を備えた情報機器と、
前記情報機器と無線通信する第２無線通信部と、
前記無線通信における電波強度を測定し、前記情報機器から無線通信の際に受信した前記情報機器自装置識別情報と、中継機器自装置識別情報と、前記測定の結果を示す測定情報とをサーバに送信する測定情報出力部と、を備えた複数の中継機器と、
それぞれの前記中継機器から受信した前記測定情報と、前記情報機器自装置識別情報と、前記中継機器自装置識別情報と、あらかじめ前記中継機器が設置された位置を含むレイアウト図とに基づいて、前記情報機器の前記レイアウト図における位置を特定する位置判定部と、
位置が特定された前記情報機器と前記レイアウト図とを重ね合わせた表示用のレイアウトデータを生成し、表示部に表示する表示データ生成部と、を備えたサーバと、
を備えることを特徴とするレイアウト情報提供システム。
【請求項２】
前記中継機器の測定情報出力部は、前記情報機器自装置識別情報と前記中継機器自装置識別情報と前記測定情報とを前記無線通信の都度前記サーバに送信し、
前記サーバの位置判定部は、前記中継装置から受信した前記情報機器自装置識別情報と前記中継機器自装置識別情報と前記測定情報とに基づいて、特定した前記位置を更新し、
前記サーバの表示データ生成部は、位置が更新された前記情報機器と前記レイアウト図とを重ね合わせた表示用のレイアウトデータを生成し、表示部に表示する、
ことを特徴とする請求項１に記載のレイアウト情報提供システム。
【請求項３】
前記サーバの前記位置判定部は、前記中継装置から無線通信の都度受信した前記情報機器自装置識別情報と前記中継機器自装置識別情報と前記測定情報とを履歴形式で記憶部の記憶し、
前記サーバの表示データ生成部は、履歴形式で記憶された前記情報機器自装置識別情報と前記中継機器自装置識別情報と前記測定情報に基づいて特定された前記情報機器と前記レイアウト図とを重ね合わせて移動経路を示す表示用のレイアウトデータを生成し、表示部に表示する、
ことを特徴とする請求項２に記載のレイアウト情報提供システム。
【請求項４】
訪問先となるユーザの識別情報の入力を受け付ける入力部と、前記ユーザの識別情報に基づいて検索された結果を表示する表示部と、前記ユーザの識別情報を前記サーバに送信する処理部とを備えた携帯機器と、を備え、
前記サーバの位置判定部は、前記携帯機器から受信した前記ユーザの識別情報に対応付けて記憶されている前記情報機器識別情報に基づいて、前記情報機器の前記レイアウト図における位置を特定し、
前記サーバの表示データ生成部は、位置が特定された前記情報機器と前記レイアウト図とを重ね合わせた表示用のレイアウトデータを生成し、前記携帯端末に前記表示用のレイアウトデータを送信する、
ことを特徴とする請求項１に記載のレイアウト情報提供システム。
【請求項５】
情報機器が無線通信する際に中継装置に情報機器自装置識別情報を送信し、
前記無線通信における電波強度を測定し、
前記情報機器から無線通信の際に受信した前記情報機器自装置識別情報と、中継機器自装置識別情報と、前記測定の結果を示す測定情報とをサーバに送信し、
複数の中継機器から受信した前記測定情報と、前記情報機器自装置識別情報と、前記中継機器自装置識別情報と、あらかじめ前記中継機器が設置された位置を含むレイアウト図とに基づいて、前記情報機器の前記レイアウト図における位置を特定し、
位置が特定された前記情報機器と前記レイアウト図とを重ね合わせた表示用のレイアウトデータを生成し、表示部に表示する、
ことを特徴とするレイアウト情報提供方法。
【発明の詳細な説明】
【技術分野】
【０００１】
本発明は、レイアウト情報提供システム、およびレイアウト情報提供方法に関する。
【背景技術】
【０００２】
従来、社内レイアウトの情報収集においては、机や社員着用の名札等の識別札にＲＦＩＤ（Radio Frequency Identifier）等のＩＤチップをこれらの全てに取り付けて、それらをＩＤリーダ等の読み取り装置で読み込みながら、レイアウトの情報をシステム的に管理・運用する方式が採用されている。例えば、特許文献１では、所定の場所に設置されたＩＣタグの位置情報を、ＩＣ（Integrated Circuit）タグの近傍位置に設置された機器が読み取って、その機器の位置を表示している。
【先行技術文献】
【特許文献】
【０００３】
【特許文献１】特開２００８−２０９９６４号公報
【発明の概要】
【発明が解決しようとする課題】
【０００４】
上記特許文献１では、ＩＣタグを用いて機器の位置を把握することはできるが、机、席等の所定の位置に大量のＩＣタグを準備する必要があり、コスト面、実現性に課題が存在する。特に、組織変更が発生すると、システムに人と席及び部署の関連の変更が生じ、それらを再設定する作業や、その整合性を確認する作業など、時間と手間を要する煩雑な作業が逐次発生する為、訂正が遅れ、システムの陳腐化に繋がってしまう。
【０００５】
本発明は、上記に鑑みてなされたものであって、ＩＣタグを準備することなく機器の位置を把握することができ、容易にその位置を変更することが可能なレイアウト情報提供システム、およびレイアウト情報提供方法を提供することを目的とする。
【課題を解決するための手段】
【０００６】
上記課題を解決するために、本発明にかかるレイアウト情報提供システムは、中継機器と無線通信する第１無線通信部と、無線通信する際に前記中継装置に情報機器自装置識別情報を送信する自装置識別情報出力部と、を備えた情報機器と、前記情報機器と無線通信する第２無線通信部と、前記無線通信における電波強度を測定し、前記情報機器から無線通信の際に受信した前記情報機器自装置識別情報と、中継機器自装置識別情報と、前記測定の結果を示す測定情報とをサーバに送信する測定情報出力部と、を備えた複数の中継機器と、それぞれの前記中継機器から受信した前記測定情報と、前記情報機器自装置識別情報と、前記中継機器自装置識別情報と、あらかじめ前記中継機器が設置された位置を含むレイアウト図とに基づいて、前記情報機器の前記レイアウト図における位置を特定する位置判定部と、位置が特定された前記情報機器と前記レイアウト図とを重ね合わせた表示用のレイアウトデータを生成し、表示部に表示する表示データ生成部と、を備えたサーバと、を備えることを特徴とするレイアウト情報提供システムとして構成される。
【０００７】
また、本発明は、上記レイアウト情報提供システムで用いられるレイアウト情報提供方法としても把握される。
【発明の効果】
【０００８】
本発明によれば、ＩＣタグを準備することなく機器の位置を把握することができ、容易にその位置を変更することができる。
【図面の簡単な説明】
【０００９】
【図１】本実施の形態におけるレイアウト情報提供システムの構成例を示す図である。
【図２】図１に示した情報機器の機能的な構成を示すブロック図である。
【図３】図１に示した中継機器の機能的な構成を示すブロック図である。
【図４】図１に示したサーバの機能的な構成を示すブロック図である。
【図５】記憶部が記憶するデータの例を示す図である。
【図６】レイアウトデータの例を示す図である。
【図７】測定位置データの例を示す図である。
【図８】機器使用者データの例を示す図である。
【図９】本システムで行われるレイアウト提供処理の処理手順を示すシーケンス図である。
【図１０】３点測位により情報機器の位置を特定するイメージを示す図である。
【発明を実施するための形態】
【００１０】
以下に添付図面を参照して、本発明にかかるレイアウト情報提供システム、およびレイアウト情報提供方法の実施の形態を詳細に説明する。近年、社内の無線ＬＡＮ（Local Area Network）環境の普及により、機器からの電波信号を受信可能なインフラが整ってきていることに鑑み、電波を発信する機器（例えば、無線ＬＡＮ  ＰＣ、スマートフォン等の機器）からの電波信号強度およびＭＡＣアドレス情報と測位技術とを組合せることで、安価で実現性の高いシステムを提供する。このような手法により、機器の位置がリアルタイムで更新でき、社内レイアウトや在席状態を容易に把握することができる。
【００１１】
例えば、ＰＣ等の上記機器から発信される電波発信情報を机や席のレイアウト位置情報として使用する一方、社員が携帯するスマートフォンの発信情報は人の位置情報として使用する。これらの２つの情報がリアルタイムに取得可能になる為、組織変更などの発生伴うレイアウト訂正作業が無くなると共に、在席/離席情報の提供も可能になる。さらに、フロア上下階情報は、受信機器(アクセスポイントなど）の設置位置情報より３次元的な管理が可能になる為、人とＰＣの位置が異なっても、その所在の位置が確認できる。また、社内の電波受発信機器を利用する為、新規追加機器のコストが最小限度に抑えることができる。以下、具体的に説明する。
【００１２】
図１は、本実施の形態におけるレイアウト情報提供システム１０００の構成例を示す図である。図１に示すように、レイアウト情報提供システム１０００は、無線通信が可能な情報機器１００と、無線通信を中継する中継機器２００と、レイアウトを管理するサーバ３００とを有して構成されている。情報機器１００と中継機器２００とは無線ネットワークＮ１を介して接続され、中継機器２００とサーバ３００とは有線ネットワークＮ２を介して接続されている。これらのネットワークは、ＬＡＮ環境を構成している。なお、本例では、情報機器１００のうち、デスクトップＰＣ等のレイアウト上で移動させずに使用される機器については情報機器１００−１とし、スマートフォンやタブレット端末等のレイアウト上で移動して使用される携帯機器については情報機器１００−２として示している。図１では、ユーザＵが、自席で情報機器１００−１を使用し、会社から貸与された携帯機器１００−２を身につけていることを示している。
【００１３】
後述するように、本システムでは、情報機器１００−１や情報機器１００−２と、各フロアのそれぞれに設けられた複数の中継機器２００との間の電波強度を用いて、これらの機器の位置を測定し、サーバ３００がその位置をレイアウトに反映して記憶しておく。記憶されたデータは、サーバや管理者等の様々な情報機器のディスプレイに表示することにより、これらの機器の位置を把握することができる。また、例えば、クライアントＣが来客した際には、当該クライアントが所持する携帯機器４００を操作してサーバ３００にアクセスし、サーバ３００に記憶されたデータを携帯機器で確認することにより、容易に訪問先までたどり着くことができる。
【００１４】
図２は、図１に示した情報機器１００の機能的な構成を示すブロック図である。情報機器１００−１、情報機器１００−２は同様の構成を有しているため、以下総称して情報機器１００として説明する。図２に示すように、情報機器１００は、表示部１０１と、入力部１０２と、無線通信部１０３と、自装置識別情報出力部１０４と、制御部１０５とを有して構成されている。
【００１５】
表示部１０１は、例えば、ＬＣＤ（Liquid Crystal Display）等の表示装置から構成され、情報機器１００を使用するユーザから入力された情報等、本システムで使用される様々な情報を表示する。
【００１６】
入力部１０２は、キーボードやタッチパネル等の入力装置から構成され、情報機器１００を使用するユーザから本システムで使用される様々な情報の入力を受け付ける。
【００１７】
無線通信部１０３は、ＮＩＣ（Network Interface Card）等の通信機器から構成され、情報機器１００中継機器２００との間で所定の規格により無線通信される各種情報を送受信する。
【００１８】
自装置識別情報出力部１０４は、情報機器１００を配置する位置が決定した旨の情報が入力部１０２から入力された場合に、当該情報機器１００を識別するための情報（例えば、ＭＡＣアドレス、ＩＰアドレス、コンピュータ名等を含む自装置の識別情報）を出力する。
【００１９】
制御部１０５は、情報機器１００の上記各部を制御する処理部である。これら各部の具体的な動作については、シーケンス図を用いて後述する。続いて、図１に戻って、中継機器２００について説明する。
【００２０】
図３は、図１に示した中継機器２００の機能的な構成を示すブロック図である。図３に示すように、中継機器２００は、無線通信部２０１と、通信部２０２と、測定情報出力部２０３と、制御部２０４とを有して構成されている。
【００２１】
無線通信部２０１は、ＮＩＣ等の通信機器から構成され、中継機器２００と情報機器１００との間で所定の規格により無線通信される各種情報を送受信する。
【００２２】
通信部２０２は、ＮＩＣ等の通信機器から構成され、中継機器２００とサーバ３００との間で所定の規格により無線通信される各種情報を送受信する。
【００２３】
測定情報出力部２０３は、無線通信可能な周辺の情報機器１００との間における電波強度を測定し、その結果である測定情報を出力する。
【００２４】
制御部２０４は、中継機器２００の上記各部を制御する処理部である。これら各部の具体的な動作については、シーケンス図を用いて後述する。続いて、図１に戻って、サーバ３００について説明する。
【００２５】
図４は、図１に示したサーバ３００の機能的な構成を示すブロック図である。図４に示すように、サーバ３００は、記憶部３０１と、位置判定部３０２と、表示データ生成部３０３と、無線通信部３０４と、通信部３０５と、制御部３０６とを有して構成されている。
【００２６】
記憶部３０１は、ＨＤＤ（Hard Disk Drive）等の記憶装置から構成され、本システムで用いられる各種データを記憶する。図５は、記憶部３０１が記憶するデータの例を示す図である。図５に示すように、記憶部３０１は、レイアウトデータ３０１１と、測定位置データ３０１２と、機器使用者データ３０１３とを記憶する。
【００２７】
図６は、レイアウトデータ３０１１の例を示す図である。レイアウトデータ３０１１は、管理対象となる情報機器１００の位置と、情報機器１００が配置される場所のレイアウト図とを含むデータである。図６に示すように、レイアウトデータ３０１１は、情報機器１００を配置するためのレイアウトが座標により表されたデータである。レイアウトデータ３０１１は、管理対象となる範囲が複数のフロアに跨る場合にはフロアごとに記憶される。図６では、右上を基準点Ｐ１１（Ｃ１，Ｌ１）として、下方向に横軸Ｌ１〜Ｌｎが設けられ、左方向に縦軸Ｃ１〜Ｃｎが設けられた３Ｆフロアのレイアウトを示している。このレイアウト上に、情報機器１００−１であるＰＣ（Ａ０００１）が、ＰＸＹ（ＣＸ，ＬＹ）であらわされる位置に配置されていることを示している。同様に、上記レイアウト上に、情報機器１００−２であるスマートフォン（Ｂ０００１）が、ＰＸ’Ｙ’（ＣＸ’，ＬＹ’）であらわされる位置にあることを示している。さらに、このフロアには、３つの中継機器２００（２００ａ〜２００ｃ）が設置されており、例えば、中継機器２００ａ（ＡＰ０００１）については、Ｐ００（Ｃ０，Ｌ０）であらわされる位置に設置されていることを示している。このように、レイアウトデータ３０１１には、配置される情報機器１００と場所のレイアウト図とが対応付けられ、重畳表示可能な形式で記憶されている。続いて、測定位置データ３０１２について説明する。
【００２８】
図７は、測定位置データ３０１２の例を示す図である。測定位置データ３０１２は、情報機器１００の電波強度の測定結果を含むデータである。図７に示すように、測定位置データ３０１２は、情報機器１００を識別するための機器ＮＯと、その機器ＮＯにより識別される情報機器１００があるフロアと、そのフロアで配置された情報機器１００の位置である測定位置と、その位置における情報機器１００と中継機器２００との間の電波強度とが対応付けて記憶されている。この例では、中継機器２００がフロアごとに３つ設けられているため、各中継機器２００との間の電波強度を示す電波強度１〜３が含まれている。
【００２９】
図７では、例えば、機器ＮＯがＡ０００１の情報機器１００は、３ＦフロアのＰＸＹ（ＣＸ，ＬＹ）に配置され、それぞれの中継機器２００との間の電波強度が、ＳＡ１、ＳＡ２、ＳＡ３であることを示している。このように、測定位置データ３０１２では、情報機器１００ごとに、その機器が配置されている位置と、その位置における電波強度とが記憶されている。続いて、機器使用者データ３０１３について説明する。
【００３０】
図８は、機器使用者データ３０１３の例を示す図である。機器使用者データ３０１３は、情報機器１００の使用者の管理情報を含むデータである。図８に示すように、機器使用者データ３０１３は、上記機器ＮＯと、その機器のＭＡＣアドレスおよびＩＰアドレスと、その機器の使用者と、その使用者の連絡先とが対応付けて記憶されている。
【００３１】
図８では、例えば、例えば、機器ＮＯがＡ０００１の情報機器１００は、ＭＡＣアドレス、ＩＰアドレスが、それぞれα１、β１であり、その機器の使用者がユーザ１であり、連絡先（例えば、電話番号）がγ１であることを示している。このように、機器使用者データ３０１３には、情報機器１００の使用者に関する情報が記憶されている。続いて、図４に戻って、位置判定部３０２以降の各部について説明する。
【００３２】
位置判定部３０２は、中継機器２００を介して情報機器１００から受信した自装置識別情報、中継機器２００から受信した測定情報、レイアウトデータ３０１１、測定位置データ３０１２、機器使用者データ３０１３を参照して、その都度リアルタイムに情報機器１００の現在位置を判定し、測定位置データ３０１２を随時更新する。
【００３３】
表示データ生成部３０３は、位置判定部３０２が更新した測定位置データ３０１２をレイアウトデータ３０１１にトレースする等して情報機器１００とレイアウトデータ３０１１とを重ね合わせた表示用のレイアウトデータを生成する。
【００３４】
無線通信部３０４は、ＮＩＣ等の通信機器から構成され、サーバ３００と携帯機器４００との間で所定の規格により無線通信される各種情報を送受信する。
【００３５】
通信部３０５は、ＮＩＣ等の通信機器から構成され、サーバ３００と中継機器２００との間で所定の規格により無線通信される各種情報を送受信する。
【００３６】
制御部３０６は、サーバ３００の上記各部を制御する処理部である。これら各部の具体的な動作については、シーケンス図を用いて後述する。続いて、図１に戻って、携帯機器４００について説明する。
【００３７】
携帯機器４００は、情報機器１００−２と同様の携帯機器であり、機能的には、図２に示した構成を有している。携帯機器４００は、例えば、本システムで管理される企業に訪問した際に、入力部を操作して訪問先となる部署の担当者名を入力するなどして本システムのサーバ３００にアクセスすると、その情報がサーバ３００に送信され、サーバ３００では、入力された担当者名をキーにして機器使用者データ３０１３の中から対応する機器ＮＯを特定し、さらにその機器ＮＯをキーにして測定位置データ３０１２にアクセスして測定位置を参照し、レイアウトデータ３０１１に重ね合わせて、図６に示したようなレイアウト上に訪問先の担当者の位置を示すデータを出力し、携帯機器４００の表示部に表示する。このような処理を行うことにより、そのクライアントは、訪問先まで容易にたどり着くことができる。続いて、本システムで行われる処理について説明する。
【００３８】
図９は、本システムで行われるレイアウト提供処理の処理手順を示すシーケンス図である。以下では、情報機器１００の配置およびその情報機器１００を使用するユーザの座席の変更があったものとして説明している。
【００３９】
図９に示すように、情報機器１００の入力部１０２が、レイアウトの変更や座席の移動があり、その位置が決定したことを示す操作(例えば、移動終了等のメッセージ入力)を受け付けると（ステップＳ９０１）、情報機器１００の自装置識別情報出力部１０４は、その情報機器１００のＭＡＣアドレス、ＩＰアドレス、コンピュータ名等の自装置識別情報を出力し（ステップＳ９０２）、無線通信部１０３を介して中継機器２００に送信する（ステップＳ９０３）。本例では、識別情報を入力する前提で説明しているが、無線通信範囲にある中継機器２００が情報機器１００を検知して上記識別情報を受信してもよい。
【００４０】
中継機器２００の測定情報出力部２０３は、無線通信可能な情報機器１００との間における電波強度を測定し（ステップＳ９０４）、その結果である測定情報を出力して通信部２０２を介してサーバ３００に送信する（ステップＳ９０５）。測定情報には、情報機器１００から受信した自装置識別情報、中継機器２００の自装置識別情報、測定結果である電波強度の測定値が含まれる。本例では１つのフロアに３つの中継機器２００が設けられているため、これらの中継機器２００のそれぞれが、上記測定情報をサーバ３００に送信する。
【００４１】
サーバ３００の位置判定部３０２は、それぞれの中継機器２００から測定情報を受信すると、測定情報に含まれる情報機器１００の自装置識別情報をキーにして測定位置データ３０１２にアクセスし、その自装置識別情報である機器ＮＯに対応する電波強度の値を更新する。本例では、３つの中継機器２００があるため、測定位置データ３０１２の電波強度１〜３が更新される。位置判定部３０２は、更新した電波強度を用いて３点測位等の手法により、情報機器１００の位置を判定する（ステップＳ９０６）。
【００４２】
図１０は、３点測位により情報機器１００のレイアウト上の位置を特定するイメージを示す図である。図１０に示すように、それぞれの中継機器２００ａ〜２００ｃと情報機器１００−１、１００−２との間の電波強度は、情報機器１００−１、１００−２から最も近い距離にある中継機器２００ａとの間で最も強く、次に情報機器１００−１、１００−２から近い距離にある中継機器２００ｂとの間で次に強く、次に情報機器１００−１、１００−２から最も遠い距離にある中継機器２００ｃとの間で最も弱くなる。このような関係性から、例えば、ＧＰＳ（Global Positioning System）で用いられている三角測量の技術を用いて、情報機器１００−１、１００２のレイアウト上の位置を特定する。本例では３点測位により情報機器１００の位置を特定しているが、これに限らず、従来から知られている様々な技術を用いることができる。
【００４３】
サーバ３００の表示データ生成部３０３は、更新された測定位置データ３０１２により特定された情報機器１００の位置をレイアウトデータ３０１１に重ね合わせた表示用のレイアウトデータ（例えば、図６）を生成する（ステップＳ９０７）。情報機器１００−２や他の情報機器１００についても、上記と同様の処理を実行する（ステップＳ９０８〜Ｓ９１３）。
【００４４】
上記のように、それぞれの情報機器１００からそれぞれの中継機器２００を介して自装置識別情報、測定情報が送信され、表示用のレイアウトデータが生成されると、表示データ生成部３０３は、これら表示用のレイアウトデータを重ね合わせて情報機器１００の表示部１０１等に表示するための重畳表示用のレイアウトデータを生成し、出力する（ステップＳ９１４）。ここで出力される重畳表示用のレイアウトデータは、図６に示したそれぞれの情報機器１００の位置を示す表示用のレイアウトデータを重ね合わせて、１つのフロア上に複数の情報機器１００の位置を示すものである。このような重畳表示用のレイアウトデータを表示することにより、ＩＣタグ等の機器を準備することなく配置された情報機器の最新の位置を把握することができ、また、情報機器の位置が変更された場合であっても、上記処理を行うことにより自動的に変更後の情報機器の位置がレイアウト上に反映され、容易にその位置を変更することができ、変更後の位置を容易に確認することができる。
【００４５】
なお、上記例では、座席や情報機器の配置変更の例について説明した。しかし、レイアウト変更の場合だけでなく、情報機器１００−２が座席位置にある場合には、その情報機器１００−２を使用するユーザが自席にいるとみなして着席時間を算出することにより、ユーザの勤怠管理を行うことができる。
【００４６】
さらに、クライアントＣが所持する携帯機器４００の入力部が、訪問先となる部署の担当者名を検索キーとしての入力を受け付けると（ステップＳ９１５）、自装置識別情報出力部はその検索キーをサーバ３００に送信する（ステップＳ９１６）。
【００４７】
サーバ３００の表示データ生成部３０３は、上記検索キーに一致するレコードを機器使用者データ３０１３の中から特定し、その検索キーに対応する機器ＮＯを特定する（ステップＳ９１７）。さらに、表示データ生成部３０３は、その機器ＮＯをキーにして測定位置データ３０１２にアクセスして測定位置を参照してレイアウト上の位置を特定し、レイアウトデータ３０１１に重ね合わせて、上記表示用のレイアウトデータを生成し（ステップＳ９１８）、携帯機器４００にそのデータを送信する（ステップＳ９１９）。携帯機器４００の自装置識別情報出力部は、サーバ３００から受信した上記表示用のレイアウトデータを表示部に表示する（ステップＳ９２０）。このように、本システムでは、クライアントが自身の携帯端末を操作して上記表示用のレイアウトデータを表示部に表示することにより、訪問先の担当者の位置を容易に把握することができ、迷うことなくその場所に向かうことができる。
【００４８】
なお、本例では、サーバ３００の位置判定部３０２が、自装置識別情報や測定情報を受信した都度測定位置データ３０１２を更新する前提で説明したが、例えば、自装置識別情報や測定情報を受信した都度測定位置データ３０１２を履歴形式で保持しておき、過去のある一定期間に蓄積された測定位置データ３０１２により特定された情報機器１００の位置をレイアウトデータ３０１１に重ね合わせ、情報機器１００の移動経路を含め表示用のレイアウトデータに表示させてもよい。このような過去の測定位置データ３０１２をレイアウト上に重ね合わせて表示することにより、例えば、図６に示したユーザ（Ａさん）が所持する情報機器１００−２が、ある時点ではＰ１の位置にいて、次の時点ではＰ２の位置に移動し、さらに次の時点ではＰ３の位置に移動した軌跡を容易に把握することができる。
【００４９】
本システムを構成する情報機器１００、中継機器２００、サーバ３００、携帯機器４００等で行われる各処理は、実際には、情報機器１００、中継機器２００、サーバ３００、携帯機器４００等にインストールされたプログラムを実行することにより実現される。上記プログラムは、ＲＯＭ等に予め組み込まれて提供されたり、インストール可能な形式又は実行可能な形式のファイルで記録媒体に記録して提供したり、配布してもよい。
【符号の説明】
【００５０】
１０００              レイアウト情報提供システム
１００                情報機器
１０１                表示部
１０２                入力部
１０３                無線通信部
１０４                自装置識別情報出力部
１０５                制御部
２００                中継機器
２０１                無線通信部
２０２                通信部
２０３                測定情報出力部
２０４                制御部
３００                サーバ
３０１                記憶部
３０１１              レイアウトデータ
３０１２              測定位置データ
３０１３              機器使用者データ
３０２                位置判定部
３０３                表示データ生成部
３０４                無線通信部
３０５                通信部
３０６                制御部
Ｎ１                  無線ネットワーク
Ｎ２                  有線ネットワーク。
【図１】
2018151186.tif 000003
【図２】
2018151186.tif 000004
【図３】
2018151186.tif 000005
【図４】
2018151186.tif 000006
【図５】
2018151186.tif 000007
【図６】
2018151186.tif 000008
【図７】
2018151186.tif 000009
【図８】
2018151186.tif 000010
【図９】
2018151186.tif 000011
【図１０】
2018151186.tif 000012